(57)【特許請求の範囲】
【請求項１】
コンクリート構造物に穿孔し、該穿孔に固着剤が封入された樹脂カプセルアンカーを挿入した後、アンカー部材を打ち込むことで前記樹脂カプセルアンカーを破壊及び攪拌し、前記アンカー部材を前記コンクリート構造物に固着させるあと施工アンカーの打設方法において、
前記コンクリート構造物に対して位置決めされた被締結部材の締結用孔を通して前記コンクリート構造物に穿孔し、該穿孔に前記樹脂カプセルアンカーを挿入した後、該樹脂カプセルアンカーが挿入された前記穿孔に前記アンカー部材を打ち込み、前記アンカー部材を打ち込んだ直後、該アンカー部材に、略円筒状に形成されて一側にフランジを有した差込ワッシャーの内筒部を挿通させ、さらに、該差込ワッシャーの外筒部を前記被締結部材の締結用孔に嵌着させ、前記アンカー部材を前記差込ワッシャーの内筒部で支持した状態で前記固着剤を硬化させることを特徴とするあと施工アンカーの打設方法。
【請求項２】
前記被締結部材を、前記差込ワッシャーを介して前記コンクリート構造物に締結することを特徴とする請求項１に記載のあと施工アンカーの打設方法。
【請求項３】
前記被締結部材は、ダム堤体を仮締切りする際に構築される連続矢板壁の導枠の端板で、また、前記コンクリート構造物は前記ダム堤体であることを特徴とする請求項１又は２に記載のあと施工アンカーの打設方法。
【発明の詳細な説明】
【０００１】
【発明の属する技術分野】
本発明は、あと施工アンカー（接着系）の打設方法及びその締結装置に関するもので、特に、コンクリート構造物に被締結部材を締結させるあと施工アンカーの打設方法及びその締結装置に関する。
【０００２】
【従来の技術】
建築や土木におけるあと施工アンカー工法においては、固着剤が封入された樹脂カプセルアンカーと、ボルトや異形棒鋼等から成るアンカー部材とから成るあと施工アンカー（接着系）が従来から広く用いられている。上記アンカー部材をコンクリート構造物に施工するには、まず、コンクリート構造物に穿孔し、該穿孔に樹脂カプセルアンカーを挿入する。そして、この穿孔にアンカー部材を打ち込んで、樹脂カプセルアンカーを破壊及び攪拌し、当該樹脂カプセルアンカーに封入された固着剤を硬化養生させて、アンカー部材をコンクリート構造物に強固に固着させている。
【０００３】
ところで、図３及び図４に示すように、ダム堤体２に取水口１６を追加施工する場合、ダム堤体２に連続矢板壁から成る止水壁３を構築し、該止水壁３の内側に工事用空間を現出させる。この場合、ダム堤体２には止水壁３を構築するに際して当該ダム堤体２には導枠４が設置され、該導枠４は、端板（被締結部材）７があと施工アンカー１によりダム堤体２の擁壁に締結されて、ダム堤体２に固定される構造になっている。
【０００４】
上記あと施工アンカー１を用いて導枠４の端板（被締結部材）７をダム堤体（コンクリート構造物）２に締結させる場合、まず、治具等を用いてダム堤体２の穿孔位置の各々をマーキングし、ハンマードリルを用いて該マーキング位置のそれぞれに穿孔する。次に、上記穿孔９の各々に樹脂カプセルアンカーを挿入した後、アンカー部材５を打ち込む。これにより、樹脂カプセルアンカーが破壊及び攪拌され、固着剤が硬化養生されて、アンカー部材５がダム堤体２に強固に固着される。そして、ダム堤体２に固着されたアンカー部材５の螺子部１０に平ワッシャを介して締結用ナット６を螺合し、該ナット６を締付することにより、端板７が擁壁に締結され、導枠４がダム堤体２に固定されることとなる。
【０００５】
【発明が解決しようとする課題】
しかしながら、上記ダム堤体２に、端板７に配設された締結用孔に整合するようにして穿孔位置を高い精度でマーキングすることは極めて困難であり、該マーキング位置に基づいて施工された穿孔９は位置にばらつきを生じてしまうこととなる。そのため、ダム堤体２に立設したアンカー部材５に端板（被締結部材）７の締結用孔を挿通させることができないといった事態を生じ易かった。そこで、図５に示すように、端板７の締結用孔９を十分大きめに形成しておいて、該締結用孔９にアンカー部材５を挿通させ、端板７をダム堤体２にセットした後、当該アンカー部材５に所要の孔径の孔１７を有した座金１１をセットする。そして、該座金１１を端板７に溶接して接合し、アンカー部材５にナット６を螺合して締付けし、端板７をダム堤体２に締結させることが従来から行われていた。
【０００６】
しかしながら、従来のあと施工アンカー１の打設方法では、座金１１を端板７に溶接する場合、大気中では問題ないが、水中の作業では溶接の品質が問題となり、また、作業が煩雑で効率が著しく悪かった。さらに、上記端板（被締結部材）７に配設される締結用孔９の配置が密である場合、構造上、所要強度が得られるような形状（大きさ）を有した座金１１を、当該端板７上に配置することが困難であった。
【０００７】
本発明は、上記事情に鑑みてなされたもので、その第１の課題とするところは、コンクリート構造物に穿孔し、該穿孔に固着剤が封入された樹脂カプセルアンカーを挿入した後、アンカー部材を打ち込むことで樹脂カプセルアンカーを破壊及び攪拌し、アンカー部材をコンクリート構造物に固着させるあと施工アンカーの打設方法において、上記アンカー部材を高い精度で施工して、且つ施工を容易にして作業の効率化を図ることにある。
【０００８】
【課題を解決するための手段】
上記第１の課題を解決するための第１の発明は、コンクリート構造物に穿孔し、該穿孔に固着剤が封入された樹脂カプセルアンカーを挿入した後、アンカー部材を打ち込むことで樹脂カプセルアンカーを破壊及び攪拌し、アンカー部材をコンクリート構造物に固着させるあと施工アンカーの打設方法において、コンクリート構造物に対して位置決めされた被締結部材の締結用孔を通してコンクリート構造物に穿孔し、該穿孔に樹脂カプセルアンカーを挿入した後、該樹脂カプセルアンカーが挿入された穿孔にアンカー部材を打ち込み、アンカー部材を打ち込んだ直後、該アンカー部材に、略円筒状に形成されて一側にフランジを有した差込ワッシャーの内筒部を挿通させ、さらに、該差込ワッシャーの外筒部を被締結部材の締結用孔に嵌着させ、アンカー部材を差込ワッシャーの内筒部で支持した状態で固着剤を硬化させることを特徴とする。
【０００９】
この第１の発明においては、コンクリート構造物に被締結部材の締結用孔を通して穿孔し、該穿孔に打ち込まれたアンカー部材を、差込ワッシャーの内筒部で支持してコンクリート構造物に固着させるので、当該アンカー部材を高い精度で施工することができ、且つ施工が容易である。
【００１０】
また、上記第１の課題を解決するための第２の発明は、上記第１の発明において、被締結部材を、差込ワッシャーを介してコンクリート構造物に締結することを特徴とする。
【００１１】
この第２の発明においては、被締結部材の締結用孔とアンカー部材とにガタを生じることがなく、被締結部材をコンクリート構造物に十分な強度で締結し、固定することができる。さらに、締結用孔とアンカー部材とにガタを生じないので、被締結部材に座金を溶接して接合することがない。
【００１２】
また、上記第１の課題を解決するための第３の発明は、被締結部材は、ダム堤体を仮締切りする際に構築される連続矢板壁の導枠の端板で、また、コンクリート構造物はダム堤体であることを特徴とする。
この第３の発明においては、連続矢板壁から成る止水壁を打設してダム堤体を仮締切りするに際してダム堤体に導枠を構築する場合に、導枠の両端に配した端板（被締結部材）をダム堤体に締結させるあと施工アンカーを当該あと施工アンカーの打設方法を用いて打設することができ、この場合は、導枠の設置工事の効率を向上させることができ、また、締結用ナットの緩みを防いで、導枠の端板をダム堤体に確実に締結させて固定することができる。
【００１３】
【発明の実施の形態】
本発明の一実施の形態のあと施工アンカーの打設方法及びその締結装置を、図１及び図２に基づいて説明する。本発明に係るあと施工アンカー（締結装置）１の打設方法は、コンクリート構造物２に穿孔し、該穿孔９に固着剤が封入された樹脂カプセルアンカー１３を挿入した後、アンカー部材５を打ち込むことで穿孔９に挿入された樹脂カプセルアンカー１３を破壊及び攪拌し、アンカー部材５をコンクリート構造物に固着させるあと施工アンカー１の打設方法であって、上記コンクリート構造物２に被締結部材７の締結用孔８を通して穿孔し、該穿孔９に、樹脂カプセルアンカー１３を挿入した後、アンカー部材５を打ち込み、さらに、該アンカー部材５に、略円筒状に形成されて一側にフランジ１４ａを有した差込ワッシャー１４の内筒部１４ｃを挿通し、該差込ワッシャー１４の外筒部１４ｂを被締結部材７の締結用孔８に嵌着させて構成した。
【００１４】
これにより、本あと施工アンカー（締結装置）１の打設方法は、コンクリート構造物２に対して位置決めされた被締結部材７の締結用孔８を通して、コンクリート構造物２に穿孔し、該穿孔９に打ち込まれたアンカー部材５を差込ワッシャー１４の内筒部１４ｃで支持してコンクリート構造物２に固着させることができ、当該アンカー部材５を高い精度で、且つ容易に施工することができる構造になっている。また、本あと施工アンカー１の打設方法は、被締結部材７の締結用孔８とアンカー部材５とにガタ１２（図５参照）を生じるようなことがなく、当該あと施工アンカー１を用いた締結構造は、所要強度を得ることができる。
【００１５】
以下に、本発明に係るあと施工アンカー１の打設方法で使用されるあと施工アンカー（締結装置）１の詳細を説明する。本あと施工アンカー１の樹脂カプセルアンカー１３（図２の（ｂ）参照）は、エポキシアクリレート樹脂、硬化剤及びセラミックス骨材を所定の配合比率でガラス管に収容し、密封した構造になっており、破壊及び攪拌され、硬化養生させることで強固な固着力を発揮する。また、上記アンカー部材５には、図１に示されるように、一側に螺子部１０が形成されると共に他側端が軸線に対して４５度の角度で切断された異形棒鋼により形成されており、該一側の螺子部１０には上記締結用ナット６が螺合される構造になっている。
【００１６】
また、上記差込ワッシャー１４は、一側にフランジ１４ａを備えた略円筒状の鋼材で形成されており、内筒部１４ｃに穿孔９に打ち込まれたアンカー部材５を挿通し、さらに、外筒部１４ｂを被締結部材７の締結用孔８に嵌着させることにより、アンカー部材５を支持する構造になっている。なお、上記差込ワッシャー１４の内筒部１４ｃの孔径とアンカー部材５の軸径とは、それぞれ所定の嵌め合い公差（本実施例ではＪＩＳ２級相当）となるように設定されており、本あと施工アンカー（締結装置）１を用いた締結構造は所要強度が保証されることとなる。また、差込ワッシャー１４は、差込ワッシャー１４をハンマー等で殴打することで差込ワッシャー１４の外筒部１４ｂが締結用孔８に容易に嵌着されるように、外筒部１４ｂの締結用孔８との嵌め合いが設定されている。
【００１７】
このような構成において、本実施の形態のあと施工アンカー１の打設方法及びその締結装置の作用を説明する。本発明に係るあと施工アンカー（締結装置）１をコンクリート構造物２に打設するのに、まず、被締結部材７をコンクリート構造物２に対して位置決めし、仮固定させておく。次に、ハンマードリル１５を用いて、コンクリート構造物２に、被締結部材７に配設された締結用孔８を通して穿孔し、上記締結用孔８と同軸で所要寸法の穿孔９を穿設する（図２の（ａ）参照）。そして、エアブロー及びブラシにより当該穿孔９内を清掃後、固着剤が封入された樹脂カプセルアンカー１３を穿孔９に挿入する（図３の（ｂ）参照）。
【００１８】
次に、アンカー施工用工具（図示せず）を用いて、上記樹脂カプセルアンカー１３が挿入された穿孔９にアンカー部材５を打ち込み、これにより、アンカー部材５で樹脂カプセルアンカー１３を破壊及び攪拌する（図３の（ｃ）参照）。そして、アンカー部材５を打ち込んだ直後（樹脂カプセルアンカー１３が硬化する前）に、当該アンカー部材５に上記差込ワッシャー１４の内筒部１４ｃを挿通させ、さらに、該差込ワッシャー１４の外筒部１４ｂを被締結部材７の締結用孔８に嵌着し（図３の（ｄ）参照）、差込ワッシャー１４でアンカー部材５を支持した状態で固着剤を硬化養生させる。そして、図１に示すように、コンクリート構造物２に固着されたアンカー部材５の螺子部１０に締結用ナット６を螺合して、締付し、被締結部材７をコンクリート構造物２と差込ワッシャー１４のフランジ１４ａとで挟持するようにして、当該被締結部材７をコンクリート構造物２に締結させて固定する。
【００１９】
したがって、本発明に係るあと施工アンカー（締結装置）１の打設方法は、コンクリート構造物２に対して位置決めされた被締結部材７の締結用孔８を通して、コンクリート構造物２に穿孔し、該穿孔９に、樹脂カプセルアンカー１３を挿入した後、アンカー部材５を打ち込み、さらに、該アンカー部材５に、略円筒状に形成されて一側にフランジ１４ａを有した差込ワッシャー１４の内筒部１４ｃを挿通し、該差込ワッシャー１４の外筒部１４ｂを被締結部材７の締結用孔８に嵌着させるので、アンカー部材５を高い精度で、且つ容易に施工することができる。
【００２０】
また、本あと施工アンカー（締結装置）１の打設方法は、被締結部材７を、差込ワッシャー１４を介してコンクリート構造物２に締結させるので、締結用孔８とアンカー部材５とにガタ１２（図５参照）を生じることがなく、さらに、被締結部材７上に締結用孔８が密に配置されるような場合であっても、従来のあと施工アンカー１の打設方法のように座金１１（図５参照）が互いに干渉してしまうようなことがなく、当該被締結部材７上にあと施工アンカー１を所要に配置させることが可能となり、当該あと施工アンカー１を用いた締結構造の所要強度を保証することができる。また、ガタ１２（図５参照）を生じないことで、被締結部材７に座金１１（図５参照）を溶接して接合する必要がなく、当該あと施工アンカー１を水中に施工する場合であっても、当該あと施工アンカー１を用いた締結構造の所要強度が得られる。
【００２１】
【発明の効果】
以上、詳細に説明したように、本発明に係るあと施工アンカーの打設方法及びその締結装置によれば、コンクリート構造物に、後施工された構造物の被締結部材を締結させて固定するあと施工アンカーの打設方法及びその締結装置に向けて好適となる。
【図面の簡単な説明】
【図１】本実施の形態のあと施工アンカーの説明図で、特に、当該あと施工アンカーを用いた締結構造を示す断面図である。
【図２】本実施の形態のあと施工アンカーの施工工程を示す説明図で、（ａ）はハンマードリルによりコンクリート構造物に穿孔を穿設する状態を示す図で、（ｂ）は穿孔に樹脂カプセルアンカーを挿入した状態を示す図で、（ｃ）は樹脂カプセルアンカーが挿入された穿孔にアンカー部材が打ち込まれている状態を示す図で、（ｄ）は穿孔に打ち込まれたアンカー部材を差込ワッシャーで支持する状態を示す図である。
【図３】ダム堤体に構築された止水壁及び導枠を示す平面図である。
【図４】図４における、止水壁の戸当たり部及びあと施工アンカーにより締結されたダム堤体と導枠との結合部を拡大して示した図である。
【図５】従来のあと施工アンカーの説明図で、特に、従来のあと施工アンカーを用いた締結構造を示す断面図である。
【符号の説明】
１          あと施工アンカー（締結装置）
２          コンクリート構造物
５          アンカー部材
７          被締結部材
８          締結用孔
９          穿孔（孔）
１４        差込ワッシャー
１４ａ      フランジ
１４ｂ      外筒部
１４ｃ      内筒部
【図１】
0004441718.tif 000002
【図２】
0004441718.tif 000003
【図３】
0004441718.tif 000004
【図４】
0004441718.tif 000005
【図５】
0004441718.tif 000006